(57)【要約】【課題】複数の映像信号ケーブルと複数の表示装置との間の接続切替えを行う際に、映像信号ケーブルが複数存在する場合でも、意図した表示装置に映像を表示させることを可能とする。【解決手段】映像信号切替装置１０は、制御ポート７１から入力される制御信号に基づいて、７本の映像信号ケーブル２１〜２７と、８台のディスプレイ４１〜４８との間の接続を切替える。送信機３２〜３７は、複数の映像信号ケーブル２１〜２７に対してそれぞれ対応して設けられ、画像を表示させたいディスプレイを選択する。受信機５０は、複数の送信機３１〜３７におけるそれぞれの選択結果を受信して、複数の送信機３１〜３７のいずれかによりディスプレイが選択された場合、いずれかの送信機が対応して設けられている映像信号ケーブルを介して入力された映像信号が選択されたディスプレイに表示されるような切替えを行うよう映像信号切替装置１０を制御する。【選択図】図１
2019113709.tif 000002
【特許請求の範囲】
【請求項１】
複数の映像信号ケーブルと複数の表示装置との間の接続を切替える接続切替手段と、
前記複数の映像信号ケーブルにそれぞれ対応して設けられ、画像を表示させたい表示装置を選択するための複数の選択手段と、
前記複数の選択手段におけるそれぞれの選択結果を受信して、前記複数の選択手段のいずれかにより表示装置が選択された場合、当該選択手段が対応して設けられている映像信号ケーブルを介して入力された画像信号が当該選択手段により選択された表示装置に表示されるような切替えを行うよう前記接続切替手段を制御する切替制御手段と、
を備えた映像出力切替装置。
【請求項２】
前記切替制御手段は、無線通信回線を介して、前記複数の選択手段におけるそれぞれの選択結果を受信する請求項１記載の映像出力切替装置。
【請求項３】
前記切替制御手段は、有線通信回線を介して、前記複数の選択手段におけるそれぞれの選択結果を受信する請求項１記載の映像出力切替装置。
【請求項４】
前記複数の選択手段が、前記複数の映像信号入力ケーブルのそれぞれに脱着可能に設けられている請求項２記載の映像出力切替装置。
【請求項５】
前記複数の選択手段が、前記複数の映像信号入力ケーブルのコネクタ部にそれぞれ組み込まれている請求項２記載の映像出力切替装置。
【請求項６】
前記複数の選択手段に対してそれぞれ異なる識別情報が設定され、
前記複数の選択手段の識別情報と、前記複数の選択手段が設けられた映像信号入力ケーブルとの対応関係が記憶された記憶手段をさらに備え、
前記切替制御手段は、前記複数の選択手段のいずれかにより表示装置が選択された場合、前記記憶手段における対応関係を参照して、当該選択手段の識別情報に対応付けられている映像信号ケーブルを介して入力された画像信号が、選択された表示装置に表示されるような切替えを行うよう前記接続切替手段を制御する請求項１から５のいずれか記載の映像出力切替装置。
【請求項７】
前記複数の選択手段における操作釦の操作順序に基づいて操作者を認証する認証手段をさらに備え、
前記切替制御手段は、前記認証手段により操作者が認証された場合に、当該選択手段が対応して設けられている映像信号ケーブルを介して入力された画像信号が当該選択手段により選択された表示装置に表示されるような切替えを行うよう前記接続切替手段を制御する請求項１記載の映像出力切替装置。
【請求項８】
前記複数の選択手段のいずれかにより補助画像の表示が選択された場合、
前記切替制御手段は、選択された内容の補助画像が前記複数の表示装置のいずれかに表示されるような切替えを行うよう前記接続切替手段を制御する請求項１記載の映像出力切替装置。
【請求項９】
前記補助画像が、前記複数の映像信号ケーブルと前記複数の表示装置との間の接続状態を表した画像である請求項８記載の映像出力切替装置。
【請求項１０】
前記補助画像が、操作者に対して操作方法を説明するための画像である請求項８記載の映像出力切替装置。
【発明の詳細な説明】
【技術分野】
【０００１】
本発明は、映像出力切替装置に関する。
【背景技術】
【０００２】
特許文献１には、近距離無線通信を利用して遠隔制御を行う際に、１キー操作の制御指示により連続した複数の制御コマンドを順次実行することにより、同時接続可能な外部機器数が限られている場合でも、１キー操作で所望の命令手順の連続的な遠隔制御を行うことを可能とした遠隔制御装置が開示されている。
【先行技術文献】
【特許文献】
【０００３】
【特許文献１】特開２００５−２７７５９２号公報
【発明の概要】
【発明が解決しようとする課題】
【０００４】
本発明の目的は、複数の映像信号ケーブルと複数の表示装置との間の接続切替えを行う際に、映像信号ケーブルが複数存在する場合でも、意図した表示装置に映像を表示させることが可能な映像出力切替装置を提供することである。
【課題を解決するための手段】
【０００５】
請求項１に係る本発明は、複数の映像信号ケーブルと複数の表示装置との間の接続を切替える接続切替手段と、
前記複数の映像信号ケーブルにそれぞれ対応して設けられ、画像を表示させたい表示装置を選択するための複数の選択手段と、
前記複数の選択手段におけるそれぞれの選択結果を受信して、前記複数の選択手段のいずれかにより表示装置が選択された場合、当該選択手段が対応して設けられている映像信号ケーブルを介して入力された画像信号が当該選択手段により選択された表示装置に表示されるような切替えを行うよう前記接続切替手段を制御する切替制御手段とを備えた映像出力切替装置である
【０００６】
請求項２に係る本発明は、前記切替制御手段が、無線通信回線を介して、前記複数の選択手段におけるそれぞれの選択結果を受信する請求項１記載の映像出力切替装置である。
【０００７】
請求項３に係る本発明は、前記切替制御手段が、有線通信回線を介して、前記複数の選択手段におけるそれぞれの選択結果を受信する請求項１記載の映像出力切替装置である。
【０００８】
請求項４に係る本発明は、前記複数の選択手段が、前記複数の映像信号入力ケーブルのそれぞれに脱着可能に設けられている請求項２記載の映像出力切替装置である。
【０００９】
請求項５に係る本発明は、前記複数の選択手段が、前記複数の映像信号入力ケーブルのコネクタ部にそれぞれ組み込まれている請求項２記載の映像出力切替装置である。
【００１０】
請求項６に係る本発明は、前記複数の選択手段に対してそれぞれ異なる識別情報が設定され、
前記複数の選択手段の識別情報と、前記複数の選択手段が設けられた映像信号入力ケーブルとの対応関係が記憶された記憶手段をさらに備え、
前記切替制御手段は、前記複数の選択手段のいずれかにより表示装置が選択された場合、前記記憶手段における対応関係を参照して、当該選択手段の識別情報に対応付けられている映像信号ケーブルを介して入力された画像信号が、選択された表示装置に表示されるような切替えを行うよう前記接続切替手段を制御する請求項１から５のいずれか記載の映像出力切替装置である。
【００１１】
請求項７に係る本発明は、前記複数の選択手段における操作釦の操作順序に基づいて操作者を認証する認証手段をさらに備え、
前記切替制御手段は、前記認証手段により操作者が認証された場合に、当該選択手段が対応して設けられている映像信号ケーブルを介して入力された画像信号が当該選択手段により選択された表示装置に表示されるような切替えを行うよう前記接続切替手段を制御する請求項１記載の映像出力切替装置である。
【００１２】
請求項８に係る本発明は、前記複数の選択手段のいずれかにより補助画像の表示が選択された場合、
前記切替制御手段は、選択された内容の補助画像が前記複数の表示装置のいずれかに表示されるような切替えを行うよう前記接続切替手段を制御する請求項１記載の映像出力切替装置である。
【００１３】
請求項９に係る本発明は、前記補助画像が、前記複数の映像信号ケーブルと前記複数の表示装置との間の接続状態を表した画像である請求項８記載の映像出力切替装置である。
【００１４】
請求項１０に係る本発明は、前記補助画像が、操作者に対して操作方法を説明するための画像である請求項８記載の映像出力切替装置である。
【発明の効果】
【００１５】
請求項１に係る本発明によれば、複数の映像信号ケーブルと複数の表示装置との間の接続切替えを行う際に、映像信号ケーブルが複数存在する場合でも、意図した表示装置に映像を表示させることが可能な映像出力切替装置を提供することができる。
【００１６】
請求項２に係る本発明によれば、配線を増やすことなく、複数の映像信号ケーブルと複数の表示装置との間の接続切替えを行う際に、映像信号ケーブルが複数存在する場合でも、意図した表示装置に映像を表示させることが可能な映像出力切替装置を提供することができる。
【００１７】
請求項３に係る本発明によれば、周囲の電波環境に影響を受けることなく、複数の映像信号ケーブルと複数の表示装置との間の接続切替えを行う際に、映像信号ケーブルが複数存在する場合でも、意図した表示装置に映像を表示させることが可能な映像出力切替装置を提供することができる。
【００１８】
請求項４に係る本発明によれば、従来の設備を変更することなく追加するだけで実現することが可能な映像出力切替装置を提供することができる。
【００１９】
請求項５に係る本発明によれば、選択手段が映像信号ケーブルから脱落するような問題を発生することなく、複数の映像信号ケーブルと複数の表示装置との間の接続切替えを行う際に、映像信号ケーブルが複数存在する場合でも、意図した表示装置に映像を表示させることが可能な映像出力切替装置を提供することができる。
【００２０】
請求項６に係る本発明によれば、複数の映像信号ケーブルと複数の表示装置との間の接続切替えを行う際に、映像信号ケーブルが複数存在する場合でも、意図した表示装置に映像を表示させることが可能な映像出力切替装置を提供することができる。
【００２１】
請求項７に係る本発明によれば、新たな認証手段を設けることなく、第三者の不正な利用を防ぐことが可能な映像出力切替装置を提供することができる。
【００２２】
請求項８に係る本発明によれば、補助画像をいずれかの表示装置に表示させることが可能な映像出力切替装置を提供することができる。
【００２３】
請求項９に係る本発明によれば、複数の映像信号ケーブルと複数の表示装置との間の接続状態を示した補助画像をいずれかの表示装置に表示させることが可能な映像出力切替装置を提供することができる。
【００２４】
請求項１０に係る本発明によれば、操作者に対して操作方法を説明するための補助画像をいずれかの表示装置に表示させることが可能な映像出力切替装置を提供することができる。
【図面の簡単な説明】
【００２５】
【図１】本発明の一実施形態の映像表示システムのシステム構成を示す図である。
【図２】送信機３１が映像信号ケーブル２１に取り付けられる前の様子を示す図である。
【図３】送信機３１が映像信号ケーブル２１に取り付けられた後の様子を示す図である。
【図４】映像信号切替装置１０と受信機５０とが接続されている様子を説明するための図である。
【図５】送信機３１〜３７と映像信号ケーブル２１〜２７との対応関係を登録する際に表示される管理画面例を示す図である。
【図６】送信機３１における操作釦の具体的な設定例の１つを説明するための図である。
【図７】図６に示したような送信機３１により映像信号の切替えが行われる様子を説明するための図である。
【図８】ディスプレイ上に表示されるヘルプ画像の一例を示す図である。
【図９】１本の映像信号ケーブル２１に２台の送信機３１Ａ、３１Ｂを取り付けた場合を示す図である。
【図１０】１本の映像信号ケーブルに複数台の送信機を取り付ける場合の管理画面例を示す図である。
【図１１】送信機３１Ｂにおける操作釦９７（「状態」）がオン状態（押下状態）となった場合に表示される、接続状態を示す画面例を示すである。
【図１２】送信機の操作釦のうちの１つを「認証」釦に割り当てた場合の一例を示す図である。
【図１３】暗証番号の入力をユーザに対して促すような操作画面例を示す図である。
【図１４】認証の成功後に表示される出力先のディスプレイを選択するようユーザに促すような操作画面例を示す図である。
【発明を実施するための形態】
【００２６】
次に、本発明の実施の形態について図面を参照して詳細に説明する。
【００２７】
図１は本発明の一実施形態の映像表示システムの構成を示す図である。
【００２８】
本実施形態の映像表示システムは、図１に示されるように、映像信号切替装置１０と、この映像信号切替装置１０の入力ポート７２に接続された７本の映像信号ケーブル２１〜２７と、この映像信号ケーブル２１〜２７に対してそれぞれ脱着可能に設置された７個の送信機３１〜３７と、映像信号切替装置１０の出力ポート７３に接続された８台のディスプレイ（表示装置）４１〜４８と、受信機５０とから構成されている。
【００２９】
本実施形態の映像表示システムは、７本の映像信号ケーブル２１〜２７に対して、パーソナルコンピュータ、プロジェクタ等の画像出力装置を接続して、８台のディスプレイ４１〜４８のうちの任意のディスプレイに映像を表示させるためのものである。
【００３０】
ここで、一般的に映像とは動画像を意味するが、当然ながら本実施形態の映像表示システムを用いて静止画像を任意のディスプレイに表示させることも可能である。そのため、本発明における映像には、動画像だけでなく静止画像も含まれる。
【００３１】
なお、図１に示した実施形態では、説明を簡単にするために、７本の映像信号ケーブル２１〜２７と、８台のディスプレイ４１〜４８との間の接続切替を行う場合について説明するが、映像信号ケーブルの本数やディスプレイの台数はこのような数字に限定されるものではなく、さらに多数の映像信号ケーブルやディスプレイ間の接続切替を行う場合にも、本発明は同様に適用可能である。
【００３２】
次に、送信機３１が映像信号ケーブル２１に脱着可能に取り付けられる様子を、図２、図３を参照して説明する。図２は、送信機３１が映像信号ケーブル２１に取り付けられる前の様子を示す図であり、図３は、送信機３１が映像信号ケーブル２１に取り付けられた後の様子を示す図である。
【００３３】
図２に示すように送信機３１は、上側本体部３１Ａと下側本体部３１Ｂとで映像信号ケーブル２１を挟み込むように取り付けられることにより、映像信号ケーブル２１に脱着可能なように取り付けられる。送信機３１が映像信号ケーブル２１に取り付けられた後の様子を図３に示す。なお、図２、図３に示すように、送信機３１は、映像信号ケーブル２１のコネクタ６１に近い場所に取り付けられる。
【００３４】
この送信機３１は、Ｂｌｕｅｔｏｏｔｈ（登録商標）ＬＥ（Low Energy）通信を行うための通信モジュールや、超省電力マイクロプロセッサや、リチウム電池や、送信機ＩＤを設定するためのマイクロスイッチ等を備えている。このような、マイクロスイッチを送信機毎に異なる設定とすることにより、複数の送信機３１〜３７に対してそれぞれ異なる送信機ＩＤ（識別情報）が設定されている。
【００３５】
また、送信機３１には、４つの操作釦が設けられており、その操作釦を操作することにより、映像信号ケーブル２１を介して入力された映像信号を表示させるディスプレイの切替が行われる。この操作釦の具体的な説明については後述する。
【００３６】
なお、送信機３２〜３７も、送信機３１と同様な構造により、それぞれ映像信号ケーブル２２〜２７に脱着可能に取り付けられているため、その説明は省略する。
【００３７】
また、映像信号切替装置１０は、いわゆるマトリクススイッチであり、制御ポート７１から入力される制御信号に基づいて、７本の映像信号ケーブル２１〜２７と、８台のディスプレイ４１〜４８との間の接続を切替える接続切替手段である。
【００３８】
そして、上記で説明した送信機３２〜３７は、複数の映像信号ケーブル２１〜２７に対してそれぞれ対応して設けられ、画像を表示させたいディスプレイを選択するための複数の選択手段である。
【００３９】
また、受信機５０は、受信部５１と、信号出力部５２と、制御部５３と、記憶部５４と、画像出力部５５とから構成されている。
【００４０】
記憶部５４は、複数の送信機３１〜３７の送信機ＩＤと、複数の送信機３１〜３７がそれぞれ設けられた映像信号入力ケーブル２１〜２７との対応関係が記憶されている。
【００４１】
画像出力部５５は、制御部５３による制御に基づいて、ユーザ（操作者）が本実施形態の映像表示システムを利用する際の操作を補助するための各種補助画像を画像信号ポート５７から出力する。
【００４２】
この補助画像とは、例えば、複数の映像信号ケーブル２１〜２７と複数のディスプレイ４１〜４８との間の接続状態を表した画像や、ユーザに対して操作方法を説明するための画像である。ここで、ユーザに対して操作方法を説明するための画像とは、送信機３１〜３７のそれぞれの操作釦のうち、どの操作釦を操作すればディスプレイ４１〜４８のうちのいずれに映像を表示させることができるかを説明するための画像である。
【００４３】
受信部５１は、無線通信回線を介して送信機３１〜３７から送信された信号を受信する。
【００４４】
制御部５３は、受信部５１により受信された送信機３１〜３７の信号と記憶部５４に記憶されている送信機ＩＤと映像信号ケーブル２１〜２７との対応関係から、送信機３１〜３７のそれぞれにおける４つの操作釦の操作状況、つまりどの操作釦が押されていて、どの操作釦が押されていないのかを判定する。そして、制御部５３は、その操作釦の操作状況に基づいて、映像信号ケーブル２１〜２７を介して入力された映像信号または画像信号ポート５７を介して入力された補助画像信号を、ディスプレイ４１〜４８のいずれに切り替えて出力するかを決定する。
【００４５】
信号出力部５２は、制御部５３による制御に基づいて、映像信号切替装置１０の入力ポート７２と出力ポート７３との間の接続状態を制御するための切替制御信号を制御信号ポート５６から出力する。
【００４６】
このような構成となっていることにより、受信機５０は、複数の送信機３１〜３７におけるそれぞれの選択結果を受信して、複数の送信機３１〜３７のいずれかによりディスプレイが選択された場合、いずれかの送信機が対応して設けられている映像信号ケーブルを介して入力された映像信号が選択されたディスプレイに表示されるような切替えを行うよう映像信号切替装置１０を制御する切替制御手段として機能する。
【００４７】
具体的には、受信機５０は、複数の送信機３１〜３７のいずれかによりディスプレイが選択された場合、記憶部５４における対応関係を参照して、その送信機の識別情報に対応付けられている映像信号ケーブルを介して入力された画像信号が、選択されたディスプレイに表示されるような切替えを行うよう映像信号切替装置１０を制御する。
【００４８】
また、受信機５０は、複数の送信機３１〜３７のいずれかにより補助画像の表示が選択された場合、選択された内容の補助画像が複数のディスプレイ４１〜４８のいずれかに表示されるような切替えを行うよう映像信号切替装置１０を制御する。
【００４９】
なお、本実施形態では、受信機５０は、無線通信回線を介して、複数の送信機３１〜３７におけるそれぞれの選択結果を受信するものとして説明する。しかし、送信機３１〜３７と受信機５０との間を有線通信回線により接続するような構成とすることも可能である。この場合には、受信機５０は、有線通信回線を介して、複数の送信機３１〜３７におけるそれぞれの選択結果を受信することになる。
【００５０】
なお、上記で説明した７個の送信機３１〜３７と、受信機５０と、映像信号切替装置１０とにより、映像信号ケーブル２１〜２７のいずれからでもディスプレイ４１〜４８のうちの任意のディスプレイに映像を出力することを可能とする映像出力切替装置が構成されている。
【００５１】
なお、制御部５３は、複数の送信機３１〜３７における操作釦の操作順序に基づいてユーザが正当な権限を有する者であることを認証するようにすることも可能である。
【００５２】
この場合、受信機５０は、制御部５３によりユーザが認証された場合に、複数の送信機３１〜３７のうちの認証が行われた送信機が対応して設けられている映像信号ケーブルを介して入力された画像信号がその送信機により選択されたディスプレイに表示されるような切替えが行われるよう映像信号切替装置１０を制御する。
【００５３】
次に、図４を参照して、映像信号切替装置１０と受信機５０とが接続されている様子を説明する。
【００５４】
図４に示されるように、映像信号切替装置１０の背面には、８つの入力ポート７２と、８つの出力ポート７３と、制御ポート７１とが設けられている。そして、受信機５０の画像信号ポート５７から出力された補助画像等の画像信号はいずれかの入力ポート７２に接続され、制御信号ポート５６からの切替制御信号は制御ポート７１に接続されている。
【００５５】
なお、図４では示されていないが、受信機５０からの補助画像等の画像信号が入力された入力ポート７２以外の入力ポート７２には、映像信号ケーブル２１〜２７が接続され、出力ポート７３にはディスプレイ４１〜４８が接続されることになる。
【００５６】
なお、本実施形態の映像表示システムでは、予め送信機３１〜３７と、映像信号ケーブル２１〜２７との対応関係を受信機５０に登録しておく必要がある。このような対応関係を登録する際に表示される管理画面例を図５に示す。なお、このような管理画面をディスプレイ４１〜４８のいずれかに補助画像として表示させるようにしても良い。
【００５７】
図５に示された管理画面では、送信機３１〜３７のそれぞれの送信機ＩＤ（aa:bb：cc:dd:01〜aa:bb：cc:dd:07）に対して、その送信機３１〜３７が取り付けられた映像信号ケーブル２１〜２７のそれぞれが入力ポート７２のいずれに接続されているかを登録するようになっている。
【００５８】
なお、この管理画面における複数設置順とは、１本の映像信号ケーブルに複数の送信機を取り付ける場合に、複数の送信機に対して順番を設定するためのものである。なお、図５では、全ての映像信号ケーブル２１〜２７においてそれぞれ１台の送信機３１〜３７が取り付けられているため、全ての複数設置順は「１」に設定されている。
【００５９】
また、設定プロファイルとは、それぞれの映像信号ケーブル２１〜２７を区別し易くするために用途に応じて付与したプロファイル（名称）である。
【００６０】
さらに、図５に示した管理画面では、それぞれの送信機ＩＤ毎に、認証による保護を行うか否かが設定可能となっている。図５では、送信機ＩＤがaa:bb：cc:dd:01〜aa:bb：cc:dd:03の送信機３１〜３３では認証による保護を行わず、送信機ＩＤがaa:bb：cc:dd:04〜aa:bb：cc:dd:07の送信機３４〜３７では認証による保護を行うよう設定された場合が示されている。
【００６１】
そして、認証による保護を行う場合には、どのような操作釦の操作順の場合に認証が行われるかが登録されているようになっている。具体的には、送信機ＩＤがaa:bb：cc:dd:04の送信機３４では、３番目の操作釦、１番目の操作釦、２番目の操作釦、４番目の操作釦の順序で操作が行われた場合に、そのユーザが正当な権限を有するユーザであると認証するような設定がされている。
【００６２】
次に、送信機３１における操作釦の具体的な設定例の１つについて図６を参照して説明する。図６では、映像信号ケーブル２１に取り付けられた送信機３１における操作釦８１〜８４のそれぞれにおいて、「左」、「中」、「右」、「ＨＥＬＰ」という表示がされている。
【００６３】
そして、このような送信機３１により映像信号の切替えが行われる様子について図７を参照して説明する。なお、図７では、説明を簡単にするために映像信号ケーブル２１のみが映像信号切替装置１０に接続される様子が示されている。そして、ここでは映像信号切替装置１０の出力ポート７３に対して、３つのディスプレイ４１〜４３のみが接続されている。ここで、ディスプレイ４１〜４３は、それぞれ「右」、「中」、「左」に対応して設置されている。
【００６４】
例えばこのような構成において、送信機３１の操作釦８１（「左」）がオン状態の場合（押されている場合）、映像信号ケーブル２１を介して入力された映像信号Ａが、左画面つまりディスプレイ４３に出力されるよう映像信号切替装置１０における切替えが行われる。
【００６５】
また、送信機３１の操作釦８１、８３（「左」、「右」）がオン状態の場合、映像信号ケーブル２１を介して入力された映像信号Ａが、左画面および右画面つまりディスプレイ４１、４３に出力されるよう映像信号切替装置１０における切替えが行われる。
【００６６】
さらに、送信機３１の操作釦８４（「ＨＥＬＰ」）がオン状態の場合、受信機５０からは操作説明を行うための補助画像（ヘルプ画像）が入力ポート７２に出力され、この操作説明を行うためのヘルプ画像が、予め設定された画面例えばディスプレイ４２に出力されるよう映像信号切替装置１０における切替えが行われる。
【００６７】
このようにしてディスプレイ上に表示されるヘルプ画像の一例を図８に示す。図８を参照すると、送信機３１におけるそれぞれの操作釦のうち、どの操作釦を操作すると映像を希望するディスプレイに表示することができるかがユーザに示されているのが分かる。
【００６８】
次に、１本の映像信号ケーブル２１に２台の送信機３１Ａ、３１Ｂを取り付けた場合を図９に示す。例えば、映像信号切替装置１０に６台のディスプレイ４１〜４６が接続されている場合、１台の送信機３１だけでは全てのディスプレイ４１〜４６の選択をすることができない。そのため、図９に示すように１本の映像信号ケーブル２１に２台の送信機３１Ａ、３１Ｂを接続することにより、「左上」、「中上」、「右上」、「左下」、「中下」、「右下」という６台のディスプレイの選択が可能となる。
【００６９】
なお、図９では、映像信号ケーブル２１に取り付けられた送信機３１Ａにおける操作釦９１〜９４のそれぞれにおいて、「左上」、「中上」、「右上」、「左下」という表示がされ、送信機３１Ｂにおける操作釦９５〜９８のそれぞれにおいて、「中下」、「右下」、「状態」、「ＨＥＬＰ」という表示がされている。
【００７０】
操作釦９１〜９６は、それぞれ、「左上」、「中上」、「右上」、「左下」、「中下」、「右下」という６台のディスプレイ４１〜４６を選択するための釦である。また、「状態」と表示された操作釦９７は、接続状態の確認画面を表示させるためのものである。
【００７１】
なお、図９に示されるように送信機３１Ａには送信機ＩＤとしてaa:bb：cc:dd:01が設定され、送信機３１Ｂには送信機ＩＤとしてaa:bb：cc:dd:02が設定されている。
【００７２】
そして、このように１本の映像信号ケーブルに複数台の送信機を取り付ける場合の管理画面例を図１０に示す。
【００７３】
図１０では、図９に示すように映像信号ケーブル２１に送信機３１Ａ、３１Ｂを取り付けた場合の設定例が示されている。具体的には、送信機ＩＤであるaa:bb：cc:dd:01、aa:bb：cc:dd:02の両方に対して、映像信号ケーブル２１が接続された入力ポート７２の番号「２」が設定され、複数設置順としてそれぞれ「１」、「２」が設定されている。
【００７４】
このような設定がされていることにより受信機５０では、送信機ＩＤaa:bb：cc:dd:01、aa:bb：cc:dd:02の２台の送信機３１Ａ、３１Ｂがともに２番目の入力ポート７２に接続された映像信号ケーブル２１に取り付けられていることを把握することが可能となる。
【００７５】
なお、図９に示したような送信機３１Ａ、３１Ｂにおけるそれぞれの操作釦９１〜９６が操作された場合、映像信号ケーブル２１から入力された画像信号は、操作釦９１〜９６のうちオン状態となっている操作釦に対応したディスプレイに出力されるよう映像信号切替装置１０における切替制御が行われる。
【００７６】
なお、送信機３１Ｂにおける操作釦９７（「状態」）がオン状態（押下状態）となった場合には、図１１に示されるような接続状態を示す操作画面が予め設定されたディスプレイ上に表示される。
【００７７】
図１１に示した表示画面例では、６台のディスプレイに対して現在どの映像信号ケーブルからの画像が出力されるよう切替制御が行われているか、つまり映像信号ケーブルと複数のディスプレイとの間の接続状態が示されている。
【００７８】
さらに、送信機の操作釦のうちの１つを「認証」釦に割り当てた場合の一例を図１２に示す。図１２に示した例では、映像信号ケーブル２７のコネクタ６７近傍に取り付けられた送信機２７の４つの操作釦１０１〜１０４のうちの１つの操作釦１０４が「認証」釦となっている場合の一例が示されている。
【００７９】
ここでは、図５に示した管理画面例のように、aa:bb：cc:dd:07という送信機ＩＤが設定されている送信機３７については認証による保護が有効状態（オン状態）となっており、認証のための操作順序として「４→２→２→１→３」という順番が設定されているものとして説明する。
【００８０】
例えば、ユーザが映像信号ケーブル３７にパソコン等の機器を接続して画像信号をいずれかのディスプレイに表示させたい場合、「認証」と表示されている操作釦１０４を操作する。すると、図１３に示すような操作画面がいずれかのディスプレイ上に表示されて、暗証番号の入力をユーザに対して促す。
【００８１】
そして、ユーザが登録された操作順序通り、操作釦１０４、操作釦１０２、操作釦１０２、操作釦１０１、操作釦１０３の順序で釦操作を行うと、受信機５０では認証が正常に行われる。そして、認証が成功したことにより図１４に示すような画面が表示され、ユーザに、操作釦１０１〜１０３を操作して出力先のディスプレイを選択するように促す。
【００８２】
なお、ユーザが出力先のディスプレイを選択可能な時間は、予め設定された期間、例えば３０秒間のみに限定されており、この期間を過ぎた場合には再度認証処理が正常に行われるまでディスプレイの選択ができないようにロックされてしまう。
【００８３】
つまり、あるユーザが認証を行って出力先のディスプレイを選択した場合、３０秒経過後に再度別のディスプレイを出力先として変更する場合には、認証処理を実行することが要求されることになる。
【００８４】
[変形例]
上記実施形態では、複数の送信機３１〜３７が、複数の映像信号入力ケーブル２１〜２７のそれぞれに脱着可能に設けられている場合を用いて説明したが、複数の送信機３１〜３７が、複数の映像信号入力ケーブル２１〜２７のコネクタ部にそれぞれ組み込まれているような構成とすることも可能である。
【符号の説明】
【００８５】
１０    映像信号切替装置
２１〜２７    映像信号ケーブル
３１〜３７    送信機
３１Ａ    上側本体部
３１Ｂ    下側本体部
４１〜４８    ディスプレイ（表示装置）
５０    受信機
５１    受信部
５２    信号出力部
５３    制御部
５４    記憶部
５５    画像出力部
５６    制御信号ポート
５７    画像信号ポート
６１、６７    コネクタ
７１    制御ポート
７２    入力ポート
７３    出力ポート
８１〜８４    操作釦
９１〜９８    操作釦
１０１〜１０４    操作釦
【図１】
2019113709.tif 000003
【図２】
2019113709.tif 000004
【図３】
2019113709.tif 000005
【図４】
2019113709.tif 000006
【図５】
2019113709.tif 000007
【図６】
2019113709.tif 000008
【図７】
2019113709.tif 000009
【図８】
2019113709.tif 000010
【図９】
2019113709.tif 000011
【図１０】
2019113709.tif 000012
【図１１】
2019113709.tif 000013
【図１２】
2019113709.tif 000014
【図１３】
2019113709.tif 000015
【図１４】
2019113709.tif 000016